(57)【要約】【課題】  本発明は、光学レンズをレンズ保持部材に接着してなるレンズユニットに関し、液状の接着剤がレンズ部等へ流れ込むことを容易，確実に防止することを目的とする。【解決手段】  光学レンズをレンズ保持部材に液状の接着剤により接着してなるレンズユニットにおいて、前記レンズ保持部材に、前記光学レンズの取付部が収容される凹部を形成するとともに、前記光学レンズの前記取付部を前記凹部に嵌合するように形成し、前記取付部の前記凹部の壁面に当接する面に、前記接着剤が容易に流入可能な溝状の接着剤流入部を形成してなることを特徴とする。【選択図】      図１
2005274895.tif 000002
【特許請求の範囲】
【請求項１】
光学レンズをレンズ保持部材に液状の接着剤により接着してなるレンズユニットにおいて、
前記レンズ保持部材に、前記光学レンズの取付部が収容される凹部を形成するとともに、前記光学レンズの前記取付部を前記凹部に嵌合するように形成し、前記取付部の前記凹部の壁面に当接する面に、前記接着剤が容易に流入可能な溝状の接着剤流入部を形成してなることを特徴とするレンズユニット。
【請求項２】
請求項１記載のレンズユニットにおいて、
前記接着剤は、１液性の熱硬化性接着剤からなり、前記当接する面と前記壁面との間隙寸法を、前記熱硬化性接着剤の分離液が流れない寸法にしてなることを特徴とするレンズユニット。
【請求項３】
請求項１記載のレンズユニットにおいて、
前記接着剤は、１液性の熱硬化性接着剤からなり、前記取付部の隅部に前記接着剤流入部から前記当接する面を介して第２の接着剤流入部を形成してなることを特徴とするレンズユニット。
【請求項４】
請求項１ないし請求項３のいずれか１項記載のレンズユニットにおいて、
前記当接する面は、前記光学レンズの光軸方向に垂直な面内における前記光学レンズの前記レンズ保持部材に対する位置決め基準面であることを特徴とするレンズユニット。
【発明の詳細な説明】
【技術分野】
【０００１】
本発明は、光学レンズをレンズ保持部材に接着してなるレンズユニットに関する。
【背景技術】
【０００２】
従来、カメラ等に配置される焦点検出装置として、例えば、特開平７−４９２２７号公報に開示されるものが知られている。
この公報に開示される焦点検出装置では、光学レンズの係合部が、レンズ保持部材の係合部に接着剤により接着されている。
レンズ保持部材の係合部には、液溜め部が形成され、光学レンズの係合部に形成される欠損部から接着剤を注入することにより液溜め部に接着剤が溜められる。
【０００３】
そして、液溜め部に溜まった接着剤は、毛細管現象により光学レンズの係合部とレンズ保持部材の係合部との接触面に吸い込まれ、光学レンズの係合部とレンズ保持部材の係合部との接触面が接着される。
【特許文献１】特開平７−４９２２７号公報
【発明の開示】
【発明が解決しようとする課題】
【０００４】
しかしながら、従来の焦点検出装置では、光学レンズの材質，白化等により瞬間接着剤や溶剤が使用できない時に、接着剤に熱硬化性の接着剤を使用すると、接着剤から分離した主剤（分離液）がレンズ部等に付着し、光学性能を低下させるという問題があった。
すなわち、一般に、熱硬化性の接着剤は、主剤と硬化剤とを混合して構成されており、主剤は、硬化中に粘度が低下し、毛細管現象を起こしやすくなり、硬化剤から分離する。そして、分離した主剤は、レンズ部等に流れ込んで付着し、光学性能を低下させる。
【０００５】
本発明は、かかる従来の問題を解決したもので、液状の接着剤がレンズ部等へ流れ込むことを容易，確実に防止することができるレンズユニットを提供することを目的とする。
【課題を解決するための手段】
【０００６】
請求項１のレンズユニットは、光学レンズをレンズ保持部材に液状の接着剤により接着してなるレンズユニットにおいて、前記レンズ保持部材に、前記光学レンズの取付部が収容される凹部を形成するとともに、前記光学レンズの前記取付部を前記凹部に嵌合するように形成し、前記取付部の前記凹部の壁面に当接する面に、前記接着剤が容易に流入可能な溝状の接着剤流入部を形成してなることを特徴とする。
【０００７】
請求項２のレンズユニットは、請求項１記載のレンズユニットにおいて、前記接着剤は、１液性の熱硬化性接着剤からなり、前記当接する面と前記壁面との間隙寸法を、前記熱硬化性接着剤の分離液が流れない寸法にしてなることを特徴とする。
請求項３のレンズユニットは、請求項１記載のレンズユニットにおいて、前記接着剤は、１液性の熱硬化性接着剤からなり、前記取付部の隅部に前記接着剤流入部から前記当接する面を介して第２の接着剤流入部を形成してなることを特徴とする。
【０００８】
請求項４のレンズユニットは、請求項１ないし請求項３のいずれか１項記載のレンズユニットにおいて、前記当接する面は、前記光学レンズの光軸方向に垂直な面内における前記光学レンズの前記レンズ保持部材に対する位置決め基準面であることを特徴とする。
（作用）
請求項１のレンズユニットでは、レンズ保持部材に形成される凹部に、光学レンズの取付部が嵌合される。そして、取付部の接着剤流入部の近傍に液状の接着剤を滴下すると、接着剤流入部に液状の接着剤が流れ込み、接着剤により取付部が凹部の壁面に接着される。
【０００９】
また、取付部の凹部の壁面に当接する面に接着剤流入部を形成しているため、接着剤流入部に流れ込んだ液状の接着剤が、接着剤流入部の両側から流出することが防止される。
請求項２のレンズユニットでは、取付部の凹部の壁面に当接する面と壁面との間隙寸法が、熱硬化性接着剤の分離液が流れない寸法とされ、これにより、接着剤流入部に流れ込んだ熱硬化性接着剤から分離した分離液が、接着剤流入部の両側から流出することが防止される。
【００１０】
請求項３のレンズユニットでは、取付部の隅部に第２の接着剤流入部を形成したので、取付部の接着剤流入部の近傍に１液性の熱硬化性接着剤を滴下すると、接着剤流入部に接着剤が流れ込むと同時に、第２の接着剤流入部に接着剤が流れ込み、接着剤流入部および第２の接着剤流入部の方向への接着剤の流れが形成される。
従って、接着剤流入部および第２の接着剤流入部でない方向への接着剤の流れが著しく減少し、接着剤が取付部の隅部側に閉じ込められた状態で存在することになり、熱硬化時に１液性の熱硬化性接着剤からの分離液も隅部側に閉じこめられた状態になる。
【００１１】
請求項４のレンズユニットでは、取付部の凹部の壁面に当接する位置決め基準面により、光学レンズの光軸方向に垂直な面内における光学レンズのレンズ保持部材に対する位置が決められる。
【発明の効果】
【００１２】
請求項１のレンズユニットでは、取付部の凹部の壁面に当接する面に接着剤流入部を形成したので、液状の接着剤がレンズ部等へ流れ込むことを防止することができる。
請求項２のレンズユニットでは、取付部の凹部の壁面に当接する面と壁面との間隙寸法を、熱硬化性接着剤の分離液が流れない寸法としたので、分離液がレンズ部あるいは位置決め部等へ流れ込むことを防止することができる。
【００１３】
請求項３のレンズユニットでは、取付部の隅部に第２の接着剤流入部を形成したので、分離液がレンズ部等へ流れ込むことを低減することができる。
請求項４のレンズユニットでは、取付部の凹部の壁面に当接する位置決め基準面により、光学レンズの光軸方向に垂直な面内における光学レンズのレンズ保持部材に対する位置を容易，確実に決めることができる。
【発明を実施するための最良の形態】
【００１４】
以下、本発明の実施形態を図面を用いて詳細に説明する。
（第１の実施形態）
図１ないし図３は、本発明のレンズユニットの第１の実施形態を示している。
この実施形態では、凸レンズからなる光学レンズ１が、レンズ保持部材３に保持されている。
【００１５】
光学レンズ１は、樹脂，ガラス等からなり、レンズ部１ａの外周の３箇所に取付部１ｂが一体形成されている。
取付部１ｂは、直方体状をしており、レンズ部１ａの外周に１２０度の角度を置いて突出形成されている。
取付部１ｂの上面は、図２に示すように、接着剤塗布面１ｃとされ、下面は、光学レンズ側基準面１ｄとされている。
【００１６】
レンズ保持部材３は、樹脂または金属からなり、円筒状に形成されている。
レンズ保持部材３の上部には、１２０度の角度を置いて凹部(切欠部)３ａが形成されている。
この凹部３ａは、直方体状をしており、レンズ保持部材３の上面３ｂから内周面３ｃにかけて開口されている。
【００１７】
そして、この凹部３ａに、光学レンズ１の取付部１ｂが嵌合されている。
凹部３ａの底面には、図３に示すように、光学レンズ１の取付部１ｂの光学レンズ側基準面１ｄが当接される保持部材側基準面３ｄが形成されている。
光学レンズ側基準面１ｄおよび保持部材側基準面３ｄは、光学レンズ１の光軸方向の位置決めをする基準面とされている。
【００１８】
この実施形態では、図１に示すように、レンズ保持部材３の凹部３ａに嵌合される光学レンズ１の取付部１ｂの両側の面は、凹部３ａの壁面に略当接する当接面１ｅとされている。一方の当接面１ｅには、１液性の熱硬化性接着剤５が容易に流入可能な溝状の接着剤流入部１ｆが形成されている。
また、接着剤流入部１ｆが形成される当接面１ｅと壁面とは、高精度な位置決め寸法を要する組み込み上の当接面であり、その間隙寸法は、後述するように１液性の熱硬化性接着剤５の分離液が流れない微少な寸法とされている。
【００１９】
そして、この実施形態では、接着剤流入部１ｆおよびこの近傍に存在する１液性の熱硬化性接着剤５により、光学レンズ１の取付部１ｂが、凹部３ａの壁面に接着されている。
上述したレンズユニットは、以下述べるようにして製造される。
先ず、レンズ保持部材３に形成される凹部３ａに光学レンズ１の取付部１ｂを収容して嵌合させ、レンズ保持部材３の凹部３ａの底面に形成される保持部材側基準面３ｄに、光学レンズ１の取付部１ｂに形成される光学レンズ側基準面１ｄを当接させる。
【００２０】
そして、この状態で、取付部１ｂの接着剤流入部１ｆの近傍に、１液性の熱硬化性接着剤５を滴下することにより、１液性の熱硬化性接着剤５が接着剤流入部１ｆに流入し、光学レンズ１の取付部１ｂが、接着剤流入部１ｆおよびこの近傍の１液性の熱硬化性接着剤５により、凹部３ａの壁面に接着される。
上述したレンズユニットでは、取付部１ｂの凹部３ａの壁面に当接する当接面１ｅに接着剤流入部１ｆを形成したので、接着剤流入部１ｆに流れ込んだ１液性の熱硬化性接着剤５が、接着剤流入部１ｆの両側から流出し、レンズ部１ａあるいは保持部材側基準面３ｄ等へ流れ込むことを防止することができる。
【００２１】
そして、この実施形態では、取付部１ｂの凹部３ａの壁面に当接する面と壁面との間隙寸法を、１液性の熱硬化性接着剤５の分離液が流れない寸法としたので、接着剤流入部１ｆに流れ込んだ１液性の熱硬化性接着剤５から分離した分離液が、接着剤流入部１ｆの両側から流出し、レンズ部１ａあるいは保持部材側基準面３ｄ等へ流れ込むことを防止することができる。
【００２２】
すなわち、１液性の熱硬化性接着剤５は、例えば、熱硬化性のエポキシ樹脂からなる主剤と、熱により破壊される微細なカプセル状の硬化剤を混合して形成されている。
このような１液性の熱硬化性接着剤５では、常温で高粘度の主剤は、硬化のための加熱による温度の上昇により粘度が低下し液状となる。
一方、微細なカプセル状の硬化剤は、例えば、５０℃から６０℃の温度でカプセルが破壊され、このカプセルの破壊により硬化剤と主剤とが接触し、接着剤５が硬化される。
【００２３】
そして、図４に示すように、凹部３ａの壁面３ｅと取付部１ｂの当接面１ｅとの間隙寸法Ｗ１が比較的大きい場合には、１液性の熱硬化性接着剤５の加熱時に、硬化剤のカプセルが破壊する前に主剤の粘度が低下し、図４に矢符で示すように、毛細管現象により、主剤のみが凹部３ａの壁面３ｅと取付部１ｂの当接面１ｅとの間隙に流入する。
そして、このように硬化剤から分離した主剤が、レンズ保持部材３を経て保持部材側基準面３ｄあるいはレンズ部１ａに付着するとレンズユニットの光学性能が著しく低下することになる。
【００２４】
そこで、この実施形態では、凹部３ａの壁面３ｅと取付部１ｂの当接面１ｅとの間隙寸法Ｗ１を、１液性の熱硬化性接着剤５の分離液が毛細管現象によって流れない、例えば、３０〜８０μｍの微少寸法にすることにより、分離液が、接着剤流入部１ｆの両側から流出し、レンズ部１ａあるいは保持部材側基準面３ｄ等へ流れ込むことを防止している。
また、上述したレンズユニットでは、レンズ保持部材３の凹部３ａの底面に形成される保持部材側基準面３ｄに、光学レンズ１の取付部１ｂに形成される光学レンズ側基準面１ｄを当接し、この面を接着することなく、取付部１ｂを凹部３ａの壁面３ｅに接着したので、基準面１ｄ，３ｄの状態が１液性の熱硬化性接着剤５によって変化することがなく、また、基準面１ｄ，３ｄ間に１液性の熱硬化性接着剤５の層が介在することもないためレンズ保持部材３に光学レンズ１を高い精度で接着することができる。
（第２の実施形態）
図５は、本発明のレンズユニットの第２の実施形態を示しており、この実施形態では、本発明がカメラの焦点検出装置に適用される。
【００２５】
この実施形態では、位相差検出方式の焦点検出装置の光学系を構成するセパレータレンズ１１が、絞りマスク１３を介して、樹脂からなるレンズ保持部材１５に保持されている。
レンズ保持部材１５には、樹脂からなる傾き調整部材１７を介して、センサ保持部材１９が支持されている。
【００２６】
センサ保持部材１９は、矩形状のセンサパッケージ２１の上面を覆って配置されている。
センサ保持部材１９の両端には、断面Ｌ字状の突出部１９ａが形成され、この突出部１９ａが、センサパッケージ２１に嵌合され接着剤により接着されている。
センサパッケージ２１には、例えば、ＣＣＤからなる矩形状のセンサ２３が配置されている。
【００２７】
図６は、レンズ保持部材１５にセパレータレンズ１１を組み付ける前の状態を示している。
図６に示すように、レンズ保持部材１５は、直方体状をしており、奥側の中央には、コンデンサレンズを通過した被写体からの光を導入する矩形状の開口部１５ａが形成されている。
【００２８】
また、レンズ保持部材１５には、セパレータレンズ１１が嵌合される矩形状の凹部１５ｂが形成されている。
この凹部１５ｂの底面１５ｃの隅部には、セパレータレンズ１１側に突出する矩形状の突出部１５ｄが形成されている。
この突出部１５ｄの上端には、保持部材側基準面１５ｅが形成されている。
【００２９】
凹部１５ｂの底面１５ｃの開口部１５ａの近傍には、ボス部１５ｆ，１５ｈが形成されている。
レンズ保持部材１５の凹部１５ｂの外側には、仕切壁１５ｉを介して、凹状の円弧面１５ｊが形成されている。
この円弧面１５ｊには、図５に示したように、傾き調整部材１７の凸状の円弧面１７ａが嵌合される。
【００３０】
レンズ保持部材１５の凹状の円弧面１５ｊの近傍には、三角錐状の接着剤注入口１５ｋが形成されている。
セパレータレンズ１１は、樹脂，ガラス等からなり、レンズの周囲の外形は略直方体状に形成されている。
セパレータレンズ１１の四隅には、取付部１１ｅが形成され、この取付部１１ｅの底面に、光学レンズ側基準面１１ｄが形成されている。
【００３１】
この光学レンズ側基準面１１ｄは、レンズ保持部材１５の凹部１５ｂに形成される保持部材側基準面１５ｅに当接される。
図７および図８は、レンズ保持部材１５にセパレータレンズ１１を組み付けた状態を示している。
この実施形態では、レンズ保持部材１５の凹部１５ｂに嵌合されるセパレータレンズ１１の取付部１１ｅには、凹部１５ｂの壁面に略当接する当接面１１ｈが形成されている。
【００３２】
この当接面１１ｈには、１液性の熱硬化性接着剤５が容易に流入可能な溝状の接着剤流入部１１ｆが形成されている。
また、取付部１１ｅの隅部には、接着剤流入部１１ｆから当接面１１ｈを介して(隔てて)第２の接着剤流入部１１ｊが形成されている。
そして、接着剤流入部１１ｆが形成される当接面１１ｈと壁面との間隙寸法は、第１の実施形態と同様に１液性の熱硬化性接着剤５の分離液が流れない微少な寸法とされている。
【００３３】
また、取付部１１ｅの凹部１５ｂの壁面に当接する当接面１１ｈが、セパレータレンズ１１の光軸方向に垂直な面内におけるセパレータレンズ１１のレンズ保持部材１５に対する位置決め基準面とされている。
上述したレンズユニットは、以下述べるようにして製造される。
先ず、レンズ保持部材１５に形成される凹部１５ｂにセパレータレンズ１１を収容して嵌合させ、レンズ保持部材１５の凹部１５ｂの底面に形成される保持部材側基準面１５ｅに、セパレータレンズ１１の取付部１１ｅに形成される光学レンズ側基準面１１ｄを当接させる。
【００３４】
そして、この状態で、取付部１１ｅの接着剤流入部１１ｆおよび第２の接着剤流入部１１ｊの近傍に、１液性の熱硬化性接着剤５を滴下することにより、１液性の熱硬化性接着剤５が接着剤流入部１１ｆおよび第２の接着剤流入部１１ｊに流入し、セパレータレンズ１１の取付部１１ｅが、接着剤流入部１１ｆ，第２の接着剤流入部１１ｊおよびこの近傍の１液性の熱硬化性接着剤５により、凹部１５ｂの壁面に接着される。
【００３５】
この実施形態のレンズユニットにおいても第１の実施形態と同様な効果を得ることができる。
そして、この実施形態では、取付部１１ｅの隅部に第２の接着剤流入部１１ｊを接着剤流入部１１ｆから間隔を置いて形成したので、１液性の熱硬化性接着剤５が取付部１１ｅの隅部側に閉じこめられた状態で存在し、熱硬化時に１液性の熱硬化性接着剤５からの分離液も隅部側に閉じこめられた状態になるため、分離液がレンズ部等へ流れ込むことを低減することができる。
【００３６】
すなわち、取付部１１ｅの隅部に第２の接着剤流入部１１ｊを接着剤流入部１１ｆから間隔を置いて形成したので、例えば、図９に示すように、取付部１１ｅの接着剤流入部１１ｆおよび第２の接着剤流入部１１ｊの近傍の点Ａに、１液性の熱硬化性接着剤５を滴下すると、矢符で示すように、接着剤流入部１１ｆに１液性の熱硬化性接着剤５が流れ込むと同時に、第２の接着剤流入部１１ｊに１液性の熱硬化性接着剤５が流れ込み、接着剤流入部１１ｆおよび第２の接着剤流入部１１ｊの方向への１液性の熱硬化性接着剤５の流れが形成される。
【００３７】
従って、接着剤流入部１１ｆおよび第２の接着剤流入部１１ｊでない方向への１液性の熱硬化性接着剤５の流れが著しく減少し、図９に二点鎖線で示すように、１液性の熱硬化性接着剤５が取付部１１ｅの隅部側に閉じ込められた状態で存在することになり、熱硬化時に１液性の熱硬化性接着剤５からの分離液も隅部側に閉じこめられた状態になる。
また、上述したレンズユニットでは、取付部１１ｅの凹部１５ｂの壁面に当接する当接面１１ｈを、セパレータレンズ１１の光軸方向に垂直な面内におけるセパレータレンズ１１のレンズ保持部材１５に対する位置決め基準面としたので、セパレータレンズ１１の光軸方向に垂直な面内におけるセパレータレンズ１１のレンズ保持部材１５に対する位置を容易，確実に決めることができる。
【００３８】
そして、上述したレンズユニットでは、レンズ保持部材１５の凹部１５ｂの底面に形成される保持部材側基準面１５ｅに、セパレータレンズ１１の取付部１１ｅに形成される光学レンズ側基準面１１ｄを当接し、この面を接着することなく、取付部１１ｅを凹部１５ｂの壁面に接着したので、基準面１１ｄ，１５ｅの状態が１液性の熱硬化性接着剤５によって変化することがなく、また、基準面１１ｄ，１５ｅの間に１液性の熱硬化性接着剤５層が介在することもないためレンズ保持部材１５にセパレータレンズ１１を高い精度で接着することができる。
【００３９】
なお、上述した実施形態では、接着剤に１液性の熱硬化性接着剤５を用いた例について説明したが、本発明はかかる実施形態に限定されるものではなく、例えば、液状の瞬間接着剤等を使用する場合にも適用することができる。
また、上述した実施形態では、すべてレンズ側に流路を設けたが、鏡筒あるいはホルダー側に設けても良い。
【図面の簡単な説明】
【００４０】
【図１】本発明のレンズユニットの第１の実施形態を示す上面図である。
【図２】図１のレンズユニットを示す分解斜視図である。
【図３】図１のレンズユニットを示す断面図である。
【図４】図１の要部の詳細を示す説明図である。
【図５】本発明のレンズユニットの第２の実施形態が適用される焦点検出装置を示す断面図である。
【図６】図５のレンズ保持部材とセパレータレンズとを示す分解斜視図である。
【図７】図６のレンズ保持部材にセパレータレンズを組み込んだ状態を示す上面図である。
【図８】図７の断面図である。
【図９】図７の要部の詳細を示す説明図である。
【符号の説明】
【００４１】
１  光学レンズ
１ｂ  取付部
１ｅ  当接面
１ｆ  接着剤流入部
３  レンズ保持部材
３ａ  凹部
３ｅ  壁面
５  １液性の熱硬化性接着剤
１１  セパレータレンズ
１１ｅ  取付部
１１ｈ  当接面
１１ｆ  接着剤流入部
１１ｊ  第２の接着剤流入部
１５  レンズ保持部材
１５ｂ  凹部
【図１】
2005274895.tif 000003
【図２】
2005274895.tif 000004
【図３】
2005274895.tif 000005
【図４】
2005274895.tif 000006
【図５】
2005274895.tif 000007
【図６】
2005274895.tif 000008
【図７】
2005274895.tif 000009
【図８】
2005274895.tif 000010
【図９】
2005274895.tif 000011